(57)【要約】【課題】開封することなく、注視性の高い表示を行うことができる表示機能付包装箱を提供する。【解決手段】前壁１、側壁２及び後壁３を角筒状に連設し、底面を閉止する底壁５と、天面を閉止する蓋７とを設けた包装箱において、蓋７を後壁３から延出して、その先端に前壁１に被さる表示板８を設け、前壁１の上端から蓋裏板１０を延出し、この蓋裏板１０を前側下方へ折り曲げて、表示板８の裏側に重ね、蓋裏板１０の反発により、表示板８が前方へ迫り出すようにして、注視性を高めるようにする。また、表示板８の先端から差込片９を延出し、その先端部分に側方へ張り出した係合部９ａを設け、差込片９を前壁１に形成した切込１１に差し込んで、係合部９ａを切込１１の端縁に係合させ、表示板８を一定の角度に保持する。【選択図】図２
2006131289.tif 000002
【特許請求の範囲】
【請求項１】
前壁、側壁及び後壁を角筒状に連設し、底面を閉止する底壁と、天面を閉止する蓋とを設けた包装箱において、蓋を後壁から延出して、その先端に前壁に被さる表示板を設け、前壁の上端から蓋裏板を延出し、この蓋裏板を前側下方へ折り曲げて、表示板の裏側に重ね、蓋裏板の反発により、表示板が前方へ迫り出すようにしたことを特徴とする表示機能付包装箱。
【請求項２】
請求項１に記載の表示機能付包装箱において、表示板の先端から差込片を延出し、その先端部分に側方へ張り出した係合部を設け、差込片を前壁に形成した切込に差し込んで、係合部を切込の端縁に係合させたことを特徴とする表示機能付包装箱。
【請求項３】
請求項１に記載の表示機能付包装箱において、表示板と蓋裏板とを貼り合わせ、蓋の基部に両端に亘る開封用の切裂帯を設け、再封緘に際しては、表示板を蓋裏板と共に折り返して天面に被せ、表示板の先端の差入部を箱内に差し込むようにしたことを特徴とする表示機能付包装箱。
【発明の詳細な説明】
【技術分野】
【０００１】
この発明は、陳列時の注視性を高める表示機能を備えた包装箱に関するものである。
【背景技術】
【０００２】
従来、前壁、側壁及び後壁を角筒状に連設し、底面を閉止する底壁と、天面を閉止する蓋とを設けた包装箱において、蓋を前壁から延出して、その表面に商品の宣伝等の表示を印刷しておき、店頭での陳列に際し、蓋を開いて折り返し、表示印刷の部分を前方へ迫り出させて、注視性を高めるようにしたものが提案されている（例えば、下記特許文献１の図６を参照）。
【０００３】
【特許文献１】特開２００１−１７１６５３号公報
【発明の開示】
【発明が解決しようとする課題】
【０００４】
しかしながら、上記のような包装箱では、陳列に際し、蓋を開かなければ表示機能を発揮させることができず、このような構成は、集合包装の外箱には適しているが、菓子等の個装箱には適用できないという問題がある。
【０００５】
そこで、この発明は、開封することなく、注視性の高い表示を行うことができる表示機能付包装箱を提供することを課題とする。
【課題を解決するための手段】
【０００６】
上記課題を解決するため、この発明は、前壁、側壁及び後壁を角筒状に連設し、底面を閉止する底壁と、天面を閉止する蓋とを備えた包装箱において、蓋を後壁から延出して、その先端に前壁に被さる表示板を設け、前壁の上端から蓋裏板を延出し、この蓋裏板を前側下方へ折り曲げて、表示板の裏側に重ね、蓋裏板の反発により、表示板が前方へ迫り出すようにしたのである。
【０００７】
また、上記表示機能付包装箱において、表示板の先端から差込片を延出し、その先端部分に側方へ張り出した係合部を設け、差込片を前壁に形成した切込に差し込んで、係合部を切込の端縁に係合させ、表示板を一定の角度に保持するようにしたのである。
【０００８】
なお、表示板と蓋裏板とを貼り合わせ、蓋の基部に両端に亘る開封用の切裂帯を設け、再封緘に際しては、表示板を蓋裏板と共に折り返して天面に被せ、表示板の先端の差入部を箱内に差し込むようにしてもよい。
【発明の効果】
【０００９】
このような包装箱では、集合包装して輸送する際、表示板を前壁に沿わせておくと、嵩張ることがなく、店頭での商品陳列に際し、表示板が折目の反発により蓋裏板と共に前方へ迫り出すので、開封しなくても、注視性の高い表示を行うことができる。また、表示板の角度を一定に保持して、注視性を維持することができ、開封後、表示板を箱内に差し込んで、再封緘することもできる。
【発明を実施するための最良の形態】
【００１０】
まず、この発明の第１実施形態を図１乃至図５に基づいて説明する。
【００１１】
図１に示すように、この包装箱の板紙製ブランクでは、前壁１の両側に側壁２が連設され、一方の側壁２には後壁３及び継代片４が順次連設されている。前壁１及び後壁３の下端には底板５ａが、側壁２の下端には底片５ｂがそれぞれ連設され、側壁２の上端には蓋受片６が連設されている。
【００１２】
後壁３の上端には、蓋７及び表示板８が順次連設され、表示板８の表面には、商品の宣伝等が印刷されている。表示板８の先端側部には摘み部８ａが、先端中央部には差込片９がそれぞれ連設され、差込片９の先端部には、両側方へ張り出す係合部９ａが設けられている。
【００１３】
前壁１の上端には、切目を断続的に入れたリード罫を介して蓋裏板１０が連設され、前壁１の中間上部には、上広がりＨ字状の切込１１が形成されている。切込１１の上部の幅は、差込片９の係合部９ａが通過可能な広さとされ、下部の幅は、係合部９ａより狭くなっている。
【００１４】
このブランクを包装箱に組み立てて商品を包装するには、図２に示すように、前壁１、一対の側壁２及び後壁３を角筒状に折り曲げ、継代片４を反対側の側壁２に貼り付けて周壁を形成すると共に、底板５ａと底片５ｂとを一組ずつ貼り合わせ、底板５ａ同士を噛み合わせて底壁５を形成する。
【００１５】
そして、箱内に商品を収納した後、蓋裏板１０を前側下方へ折り曲げ、蓋受片６を内側へ折り曲げて、蓋７を閉じ、表示板８を前壁１に被さるように折り曲げ、表示板８の裏側に蓋裏板１０を重ね、切込１１の上部間の部分を弧状の罫線に沿って押し込みつつ、差込片９を切込１１に差し込む。
【００１６】
このような包装箱は、複数個前後に並べて外箱に詰めた集合包装として小売店へ輸送する際、表示板８を押し付けて前壁１に沿わせておくと、嵩張ることがなく、効率的に輸送し、保管しておくことができる。
【００１７】
そして、店頭での商品陳列に際し、図３に示すように、外箱Ａの上部を前下がりに切除すると、前後に並べられた包装箱Ｂのうち、最前の包装箱Ｂの表示板８が蓋裏板１０の反発により前方へ迫り出すので、包装箱Ｂを開封しなくても、注視性の高い表示を行うことができる。
【００１８】
また、このとき、差込片９の係合部９ａが切込１１の下部端縁に係合し、表示板８と蓋裏板１０の迫り出しが所定範囲に制限され、表示板８の迫り出す角度が大きくなりすぎることがなく、一定に保持されるので、注視性を維持することができる。
【００１９】
一方、この包装箱を開封する際には、図４に示すように、摘み部８ａを摘んで表示板８を手前に引っ張り、切込１１から差込片９を引き抜いて、蓋７を開き、蓋受片６を起こすと、天面が開口し、商品を取り出すことができる。
【００２０】
その後、図５に示すように、蓋裏板１０を内側へ折り曲げて前壁１に沿わせ、蓋受片６を内側へ折り曲げ、蓋７を閉じて、表示板８を蓋受片６と蓋裏板１０の間に差し込むと、再封緘することができる。
【００２１】
次に、この発明の第２実施形態を図６乃至図１０に基づいて説明する。
【００２２】
図６に示すように、この包装箱の板紙製ブランクでは、前壁１の両側に側壁２が連設され、一方の側壁２には後壁３及び継代片４が順次連設されている。前壁１及び後壁３の下端には底板５ａが、側壁２の下端には底片５ｂがそれぞれ連設され、側壁２の上端には蓋受片６が連設されている。
【００２３】
後壁３の上端には、蓋７及び表示板８が順次連設され、表示板８の表面には、商品の宣伝等が印刷されている。蓋７の基部には、ジッパ形の切裂帯１２が設けられ、表示板８の先端部には、罫線を介して差入部８ｂが設けられている。前壁１の上端には、切目を断続的に入れたリード罫を介して蓋裏板１０が連設されている。
【００２４】
このブランクを包装箱に組み立てて商品を包装するには、図７に示すように、前壁１、一対の側壁２及び後壁３を角筒状に折り曲げ、継代片４を反対側の側壁２に貼り付けて周壁を形成すると共に、底片５ｂを内側へ折り曲げ、底板５ａ同士を貼り合わせて底壁５を形成する。
【００２５】
そして、箱内に商品を収納した後、蓋裏板１０を前側下方へ折り曲げ、蓋受片６を内側へ折り曲げて、蓋７を閉じ、表示板８を前壁１に被さるように折り曲げ、表示板８の裏側に蓋裏板１０を重ねて貼り付ける。このとき、蓋裏板１０の先端が表示板８の差入部８ｂの基端罫線にほぼ一致する。
【００２６】
このような包装箱は、複数個前後に並べて外箱に詰めた集合包装として小売店へ輸送する際、表示板８を押し付けて前壁１に沿わせておくと、嵩張ることがなく、効率的に輸送し、保管しておくことができる。
【００２７】
そして、店頭での商品陳列に際し、図８に示すように、外箱Ａの上部を前下がりに切除すると、前後に並べられた包装箱Ｂのうち、最前の包装箱Ｂの表示板８が蓋裏板１０の反発により前方へ迫り出すので、包装箱Ｂを開封しなくても、注視性の高い表示を行うことができる。
【００２８】
一方、この包装箱を開封する際には、切裂帯１２を一端から引き裂いて、図９に示すように、後壁３から切り離された蓋７を開き、蓋受片６を起こすと、天面が開口し、商品を取り出すことができる。
【００２９】
その後、図１０に示すように、蓋７の残存部を内側へ折り曲げて前壁１に沿わせ、蓋受片６を内側へ折り曲げ、表示板８を蓋裏板１０と共に折り返して天面に被せ、表示板８の差入部８ｂを蓋受片６と後壁３の間に差し込むと、再封緘することができる。
【図面の簡単な説明】
【００３０】
【図１】この発明の第１実施形態に係る表示機能付包装箱のブランクを示す図
【図２】同上の包装箱の封緘状態を示す斜視図
【図３】同上の集合包装での陳列状態を示す斜視図
【図４】同上の包装箱の開封状態を示す斜視図
【図５】同上の再封緘状態を示す斜視図
【図６】この発明の第２実施形態に係る表示機能付包装箱のブランクを示す図
【図７】同上の包装箱の封緘状態を示す斜視図
【図８】同上の集合包装での陳列状態を示す斜視図
【図９】同上の包装箱の開封状態を示す斜視図
【図１０】同上の再封緘状態を示す斜視図
【符号の説明】
【００３１】
１  前壁
２  側壁
３  後壁
４  継代片
５  底壁
５ａ  底板
５ｂ  底片
６  蓋受片
７  蓋
８  表示板
８ａ  摘み部
８ｂ  差入部
９  差込片
９ａ  係合部
１０  蓋裏板
１１  切込
１２  切裂帯
【図１】
2006131289.tif 000003
【図２】
2006131289.tif 000004
【図３】
2006131289.tif 000005
【図４】
2006131289.tif 000006
【図５】
2006131289.tif 000007
【図６】
2006131289.tif 000008
【図７】
2006131289.tif 000009
【図８】
2006131289.tif 000010
【図９】
2006131289.tif 000011
【図１０】
2006131289.tif 000012